(57)【要約】  【課題】  本体前部に、吹出口から吹き出される吹出空気を所定の方向に導くための導風路を構成する導風パネルを設け、送風性能を高めて吹出空気を遠方まで届かせることができるようにした空気調和機を提供する。  【解決手段】  吸込口２と吹出口４とを備え、これら吸込口２と吹出口４とを結ぶ空気通路に熱交換器５と送風ファン６とを備えた本体の前部に、前記吹出口４に連通して吹出空気を所定の方向に導くための導風路11を構成する導風パネル７を装着した。【選択図】  図１
2005315537.tif 000002
【特許請求の範囲】
【請求項１】
吸込口と吹出口とを備え、これら吸込口と吹出口とを結ぶ空気通路に熱交換器と送風ファンとを備えた本体の前部に、前記吹出口に連通する導風路を設けてなることを特徴とする空気調和機。
【請求項２】
前記導風路が、第一吹出パネルと第二吹出パネルとで構成された導風パネルからなることを特徴とする請求項１に記載の空気調和機。
【請求項３】
前記吹出口から吹き出される吹出空気を、導風部材により導入した前記導風路で所定の方向に吹き分けるようにしてなることを特徴とする請求項１または請求項２に記載の空気調和機。
【発明の詳細な説明】
【技術分野】
【０００１】
本発明は、壁掛け式の空気調和機に係わり、より詳細には、本体前部に吹出口から吹き出される吹出空気を所定の方向に導くための導風路を構成する導風パネルを装着することにより、送風性能を高めて吹出空気を遠方まで届かせることができるようにしたものに関する。
【背景技術】
【０００２】
従来の壁掛け式の空気調和機には、暖気あるいは冷気を被空調室内にむらなく、すみずみまで到達させることができるものとして、特許文献１の図１および図８で示すように、空気調和機本体の前面部および上面部に吸込口を備え、下面部に吹出口を備えると共に、これら吸込口と吹出口とを結ぶ空気通路に熱交換器および送風ファンを設けた構成でなり、被空調室の壁面の上位部であって天井面の近傍に壁掛け設置されるようになっていた（例えば、特許文献１参照。）。
【０００３】
上記構成でなる空気調和機が、図７（Ａ）および図７（Ｂ）で示すように、被空調室の壁面Ａの上位部であって天井面Ｂの近傍に壁掛け設置された際、前面部（および上面部１）の吸込口２の桟および吹出口４が常に外観に現れているということもあって、空気調和機全体が前記壁面Ａから前方に突出していることによる視覚的な圧迫感があった。
また、前記上面部１の吸込口２を前記天井面Ｂに近接させて壁掛け設置した場合には、図７（Ｂ）で示すように前記上面部１と前記天井面Ｂとの間が狭くなって、前記上面部１の吸込口２からは室内空気を効率よく吸い込むことができにくいという問題点があった。
【０００４】
上記構成により、運転停止時には、図８（Ａ）で示すように前記吹出口４が上下風向板10および11によって閉塞されているが、例えば冷房運転による水平吹出時には、図８（Ｂ）で示すように前記上下風向板10および11が水平位置に回動していることから、熱交換器５で熱交換され送風ファン６で前記吹出口４から送出される吹出冷気の一部が、前記前面部の吸込口２から吸い込まれショートサーキットして熱交換効率が低下してしまうおそれがあり、また暖房運転による垂直吹出時には、図８（Ｃ）で示すように前記上下風向板10および11が垂直位置に回動していることから、熱交換器５で熱交換され送風ファン６で前記吹出口４から送出される吹出暖気が、前記上下風向板10および11により下方に向けて急激に風向偏向されるため、該箇所における送風効率が低下してしまうという問題点を有していた。
【０００５】
そのため、意匠性を高めつつ、開閉体により吸込空気量に応じて本体の前面部の吸込口を開閉するものとして、例えば本体の前面上部および上面部に設けられた吸込口から多量の空気を吸い込む際、開閉体を駆動モータで駆動し、この開閉体の上部と可動パネルとを離間して前面上部の吸込口から室内空気を吸い込めるようにしたものがあった（例えば、特許文献２参照。）。
【０００６】
しかしながら、本体上部が天井面に近接している場合には、基本的には特許文献１の場合と同様であって、本体上部と天井面との間に吸込空気を多量に導くための充分な流通路が確保できにくく、また、空気調和機全体が壁面から前方に突出していることにより視覚的な圧迫感を感じさせて、被空調室のインテリアに調和しにくいという問題点を有していた。
【０００７】
なお、被空調室に調和空気を吹き出すための吹出口は、特許文献１の場合と同様であって、水平方向と垂直方向の両方への吹き出しを意識した構成になっており、吹出口に設けられた上下風向板でのみ風向を制御していることから、風向調節範囲が狭くなるため、例えば効果的に風向偏向をして水平方向の遠方への送風や垂直方向への送風を充分に行えないという問題点を有していた。
【０００８】
また、特許文献３で示すように、曲面状の可動パネルで空気調和機本体をカバーしたものが認められ、特許文献４で示すように、上下にスライドする可動パネルで空気調和機本体をカバーしたものが認められ、特許文献５で示すように、上下に回動する可動パネルで空気調和機本体をカバーしたものが認められるが、これらは何れの場合にも、可動パネルが前記吹出口に連続する吹出路の一部を構成して送風効率を高めるようにはなっていなかった（例えば、特許文献３〜特許文献５参照。）。
【０００９】
そこで、室内空気を吸込口から効率よく吸い込めるようにし、ショートサーキットするおそれをなくし、また、吸込口の桟や吹出口が常に外観に現れないように可動パネルでカバーして視覚的な圧迫感を感じさせないようにすると共に、例えば空気調和機本体の前部に、吹出口から吹き出される吹出空気を所定の方向に導くための導風路を構成する導風パネルを装着して、送風性能を高めて吹出空気を遠方まで届かせることができるようにすることが望まれていた。
【００１０】
【特許文献１】特開２００３−６５５９１号公報（第１頁〜第４頁、第１図〜第８図）
【特許文献２】特開２０００−２３４７６０号公報（第１頁〜第８頁、第１図〜第２図）
【特許文献３】登録意匠番号−１１７８５４７号公報
【特許文献４】登録意匠番号−１１９３５７９号公報
【特許文献５】登録意匠番号−１１５１８９９号公報
【発明の開示】
【発明が解決しようとする課題】
【００１１】
本発明は上記の問題点に鑑み、本体前部に吹出口から吹き出される吹出空気を所定の方向に導くための導風路を構成する導風パネルを装着して、送風性能を高めて吹出空気を遠方まで届かせることができるようにした壁掛け式の空気調和機を提供することを目的とする。
【課題を解決するための手段】
【００１２】
本発明は、上記課題を解決するため、吸込口と吹出口とを備え、これら吸込口と吹出口とを結ぶ空気通路に熱交換器と送風ファンとを備えた本体の前部に、前記吹出口に連通する導風路を設けてなる構成となっている。
【００１３】
また、前記導風路が、第一吹出パネルと第二吹出パネルとで構成された導風パネルからなる構成となっている。
【００１４】
更に、前記吹出口から吹き出される吹出空気を、導風部材により導入した前記導風路で所定の方向に吹き分けるようにしてなる構成となっている。
【発明の効果】
【００１５】
本発明によれば、本体前部に吹出口から吹き出される吹出空気を所定の方向に導くための導風路を構成する導風パネルを装着したことにより、吹出空気を効率よく所定の方向に導びいて吹き分けることができることから、送風性能を高めて吹出空気を遠方まで届かせることができるようにした空気調和機となる。
また、導風パネルで空気調和機本体をカバーできるようになるので、視覚的な圧迫感を和らげて被空調室のインテリアに調和しやすくなると共に、ショートサーキットを防止して、被空調室の天井面近傍の空気を吸込口から効率よく吸い込めるようになる。
【発明を実施するための最良の形態】
【００１６】
以下、本発明の実施の形態を、添付図面に基づいた実施例として詳細に説明する。
図１は本発明による空気調和機の基本構成の一例を示す説明図で、（Ａ）は正面図、（Ｂ）は側面図、（Ｃ）は側断面図、（Ｄ）は斜視図であり、図２は本発明による空気調和機の基本構成の他の例を示す説明図で、（Ａ）は正面図、（Ｂ）は側面図、（Ｃ）は側断面図、（Ｄ）は斜視図であり、図３は本発明による空気調和機の導風パネルの実施例１を示す側断面図で、（Ａ）は運転停止時の状態を、（Ｂ）は水平吹出時の状態を、（Ｃ）は垂直吹出時の状態を夫々示し、図４は本発明による空気調和機の導風パネルの実施例２を示す側断面図で、（Ａ）は運転停止時の状態を、（Ｂ）は水平吹出時の状態を、（Ｃ）は垂直吹出時の状態を夫々示し、図５は本発明による空気調和機の導風パネルの実施例３を示す側断面図で、（Ａ）は運転停止時の状態を、（Ｂ）は水平吹出時の状態を、（Ｃ）は垂直吹出時の状態を夫々示し、図６は本発明による空気調和機の導風パネルの実施例４を示す側断面図で、（Ａ）は運転停止時の状態を、（Ｂ）は水平吹出時の状態を、（Ｃ）は垂直吹出時の状態を夫々示す。
【００１７】
本発明による空気調和機は、一例による図１（Ａ）乃至図１（Ｃ）と、他の例による図２（Ａ）乃至図２（Ｃ）とで示すように、前端に行くにしたがって下方に傾斜させた上面部１に吸込口２を備え、前面下部に吹出口４を備え、これら吸込口２と吹出口４とを結ぶ空気通路に熱交換器５と送風ファン６とを備えると共に、本体前部３に、前記吹出口４から吹き出される吹出空気を所定の方向に導くための導風路を構成する導風パネル７をガイドによりスライド可能に装着して、被空調室の天井面Ｂ近傍の壁面Ａに壁掛け設置されてなる構成になっている。
【００１８】
前記上面部１は、前記天井面Ｂに近接させて設置した状態であっても、前端に行くにしたがって下方に傾斜させたことによって、前記天井面Ｂとの間に前記吸込口２から室内空気を吸い込むための隙間（通風路）を確保できるようになっている。
【００１９】
前記吸込口２を備えた上面部１の前端（前部３の上端）は、例えば図１（Ａ）乃至図１（Ｃ）と、図２（Ａ）乃至図２（Ｃ）とで示すように、前記本体前部３の下端よりも前方に位置するように構成され、且つ運転停止時には、前記導風パネル７の上端が前記上面部１の前端（前部３の上端）よりも外側に突出し、下端が前記本体前部３の下端よりも外側に突出するように構成されている。
【００２０】
これによって、本発明による空気調和機本体を被空調室内から見上げた際、図１（Ｄ）および図２（Ｄ）で示すように、運転停止時には前記導風パネル７によって空気調和機本体が見えないようにカバーできるようになり、また、前記壁面Ａと前記天井面Ｂとの境界部も遮蔽できることから、空気調和機本体が前記壁面Ａから突出していると感じる視覚的な圧迫感を和らげることができるようになって、被空調室のインテリアに調和しやすくなるという特有の効果を奏することになる。
【００２１】
前記導風パネル７は、上下方向に湾曲されることによって凹面状に形成されるようにした構成になっており、これによって、空気調和機本体の視覚的な圧迫感を更に効果的に和らげることができるようになり、また、ユーザの好みや被空調室のインテリアにも対応しやすくなって、意匠性に独自の特徴をもたせた高品位な空気調和機を提供できるようになる。
【００２２】
また、前記導風パネル７は、一例として図１（Ａ）および図１（Ｄ）で示すように、前記吹出口４を構成する第一吹出パネル８と、同第一吹出パネル８の前部に所定の間隔を有して設けられ、前記吹出口４からの吹出空気を所定の方向に導くための導風部材10を備えた第二吹出パネル９とからなり、これら第一吹出パネル８と第二吹出パネル９の両側部が側壁によって接続されると共に、上端部に上部送出口11a が、下端部に下部送出口11b が夫々形成された構成になっており、これによって、吹出空気を効率よく所定の方向に導びいて吹き分けることができることから、送風性能を高めて吹出空気を遠方まで届かせることができるようになる。
【００２３】
または、他の例として図２（Ａ）および図２（Ｄ）で示すように、前記吹出口４を構成する第一吹出パネル８と、同第一吹出パネル８の前部に所定の間隔を有して設けられ前記吹出口４からの吹出空気を所定の方向に導くための導風部材10を備えた第二吹出パネル９とからなり、これら第一吹出パネル８と第二吹出パネル９の両側部が開放されて、上端部に上部送出口11a が、下端部に下部送出口11b が夫々形成されると共に、両側部に側部送出口11c が形成された構成にしてもよい。
【００２４】
次に、前記導風パネル７により、前記吹出口４からの吹出空気を所定の方向に導くと共に、前記上部送出口11a 、前記下部送出口11b もしくは前記側部送出口11c から効果的に送出できるようにした実施例について、添付図に基づいて以下に説明する。
【実施例１】
【００２５】
前記導風パネル７が、実施例１として図３（Ａ）乃至図３（Ｃ）で示すように、前記第一吹出パネル８と、前記第二吹出パネル９と、同第二吹出パネル９に設けられ、且つ前記吹出口４に対向させた前記導風部材10とで構成されると共に、前記第一吹出パネル８には、前記導風パネル７をガイドにより上下であって前後にスライドさせる駆動モータや連係歯車などの連係部からなる駆動装置12が連係されており、同駆動装置12によって、運転停止時や、冷房運転による水平吹出時や、暖房運転による垂直吹出時などの運転状態に応じて、空気調和機本体を効果的にカバーできる位置に停止させたり、上下であって前後方向にスライドさせることができるようになっている。なお、前記導風パネル７は、前記駆動装置12を連係することなく手動によってスライドさせるようにしてもよい。
【００２６】
すなわち、運転停止時には、図３（Ａ）で示すように、前記導風パネル７は、その上端が前記上面部１の前端（本体前部３の上端）よりも外側に突出し、且つ下端が前記本体前部３の下端よりも外側に突出する位置に停止して、空気調和機本体が見えないようにカバーできることになる。
【００２７】
その際、前記導風部材10は、前記吹出口４の上下方向の中央部に対向させた状態になっており、これによって、水平吹出時に前記吹出口４の下端部に移動させる距離と、垂直吹出時に上端部に移動させる距離とを略同一にできるように工夫されている。
【００２８】
また、冷房運転による水平吹出時には、図３（Ｂ）の矢印で示すように、前記駆動装置12によって、前記導風パネル７が下方にスライドし、前記導風部材10が前記吹出口４の下端部に移動して、前記吹出口４からの吹出空気が、同吹出口４の上方に連続する導風路11に導かれて前記上部送出口11a （および前記側部送出口11c ）から送出されることになり、同上部送出口11a が前記吸込口２の前方に突出していることから、所謂ショートサーキット現象を起こすことがない。
【００２９】
これによって、図３（Ｂ）で示す矢印ａのように、前記天井面Ｂと前記上面部１との間に確保された隙間（通風路）により、前記吸込口２から効率よく吸い込まれた吸込空気を前記熱交換器５によって熱交換したのち、前記送風ファン６により、図３（Ｂ）で示す矢印ｂのように、前記上部送出口11a （および前記側部送出口11c ）から被空調室に冷気を吹き出せるようになる。
【００３０】
その際、前記導風部材10は、図で示すように断面三角形状に形成し、且つその先端部が前記吹出口４の上下端部に接離可能に当接するように構成したことにより、前記吹出口４からの吹出空気を、同吹出口４の上方に連続する前記導風パネル７の導風路11に円滑に導くことができるようになっている。
【００３１】
そして、前記導風路11に導びかれた吹出空気は、前記上部送出口11a から送出されることにより、前記吸込口２に回り込むといった所謂ショートサーキット現象や冷気落ちを起こすことなく遠方まで届かせることができて、被空調室内の隅々にわたって快適な空気調和を行えるようになる。
【００３２】
また、暖房運転による垂直吹出時には、図３（Ｃ）の矢印で示すように、前記駆動装置12によって、前記導風パネル７が上方であって前方にスライドし、前記導風部材10が前記吹出口４の上端部に移動して、前記吹出口４からの吹出空気が、同吹出口４の下方に連続する導風路11に導かれて前記下部送出口11b （および前記側部送出口11c ）から送出されることになる。
【００３３】
これによって、図３（Ｃ）で示す矢印ａのように、前記天井面Ｂと前記上面部１との間に確保された隙間（通風路）により、前記吸込口２から効率よく吸い込まれた吸込空気を前記熱交換器５によって熱交換したのち、前記送風ファン６により、図３（Ｃ）で示す矢印ｃのように、前記下部送出口11b （および前記側部送出口11c ）から被空調室に暖気を吹き出せるようになる。
【００３４】
その際、前記導風部材10は、図で示すように断面三角形状に形成されたことにより、前記吹出口４からの吹出空気を、前記吹出口４の下方に連続する前記導風パネル７の導風路11に円滑に導くことができるようになり、前記下部送出口11b から送出されることにより暖気を足元に向けて効果的に届かせることができて被空調室内の快適な空気調和を行えるようになる。
【実施例２】
【００３５】
次に、図４（Ａ）乃至図４（Ｃ）に基づいて、実施例２として構成された前記導風パネル７について説明する。
前記導風パネル７が、前記本体前部３に固着された前記第一吹出パネル８と、同第一吹出パネル８に平行に、且つガイドによりスライド可能に設けられた前記第二吹出パネル９と、同第二吹出パネル９に設けられ、且つ前記吹出口４に対向させた前記導風部材10とで構成されている。
【００３６】
前記導風部材10が設けられた第二吹出パネル９は、駆動モータや連係歯車などの連係部からなる駆動装置12が連係されたことによって、運転停止時や、冷房運転による水平吹出時や、暖房運転による垂直吹出時などの運転状態に応じて、空気調和機本体を効果的にカバーできる位置に停止させたり、上下であって前後方向にスライドさせることができるようになっている。
【００３７】
運転停止時には、図４（Ａ）で示すように、前記第二吹出パネル９は、その上端が前記上面部１の前端（本体前部３の上端）よりも外側に突出し、且つ下端が前記本体前部３の下端よりも外側に突出する位置に停止して、空気調和機本体が見えないようにカバーできることになる。
【００３８】
その際、前記導風部材10は、実施例１の場合と同様に前記吹出口４の上下方向の中央部に対向させた状態になっており、これによって、水平吹出時に前記吹出口４の下端部に移動させる距離と、垂直吹出時に上端部に移動させる距離とを略同一にできるように工夫されている。
【００３９】
冷房運転による水平吹出時には、図４（Ｂ）の矢印で示すように、前記駆動装置12によって、前記第二吹出パネル９が下方にスライドし、前記導風部材10が前記吹出口４の下端部に移動して、前記吹出口４からの吹出空気が、同吹出口４の上方に連続する導風路11に導かれて前記上部送出口11a （および前記側部送出口11c ）から送出されることになり、同上部送出口11a が前記吸込口２の前方に突出していることから、所謂ショートサーキット現象を起こすことがない。
【００４０】
これによって、図４（Ｂ）で示す矢印ａのように、前記天井面Ｂと前記上面部１との間に確保された隙間（通風路）により、前記吸込口２から効率よく吸い込まれた吸込空気を前記熱交換器５によって熱交換したのち、前記送風ファン６により、図４（Ｂ）で示す矢印ｂのように、前記上部送出口11a （および前記側部送出口11c ）から被空調室に冷気を吹き出せるようになる。
【００４１】
暖房運転による垂直吹出時には、図４（Ｃ）の矢印で示すように、前記駆動装置12によって、前記第二吹出パネル９が上方であって前方にスライドし、前記導風部材10が前記吹出口４の上端部に移動して、前記吹出口４からの吹出空気が、同吹出口４の下方に出されることになる。
【００４２】
これによって、図４（Ｃ）で示す矢印ａのように、前記天井面Ｂと前記上面部１との間に確保された隙間（通風路）により、前記吸込口２から効率よく吸い込まれた吸込空気を前記熱交換器５によって熱交換したのち、前記送風ファン６により、図３（Ｃ）で示す矢印ｃのように、前記下部送出口11b （および前記側部送出口11c ）から被空調室に冷気を吹き出せるようになる。
【００４３】
その際、前記導風部材10は、実施例１の場合と同様に断面三角形状に形成されたことにより、前記吹出口４からの吹出空気を、前記吹出口４の下方に連続する前記導風パネル７の導風路11に円滑に導くことができるようになり、前記下部送出口11b から送出されることにより暖気を足元に向けて効果的に届かせることができて被空調室内の快適な空気調和を行えるようになる
【実施例３】
【００４４】
次に、図５（Ａ）乃至図５（Ｃ）に基づいて、実施例３として構成された前記導風パネル７について説明する。
前記導風パネル７が、前記本体前部３に設けられた前記第一吹出パネル８と、同第一吹出パネル８に平行に設けられた前記第二吹出パネル９と、同第二吹出パネル９にスライド可能に設けられ、且つ前記吹出口４に対向させた前記導風部材10とで構成されている。
【００４５】
前記導風部材10は、駆動モータや連係歯車などの連係部からなる駆動装置12が連係されたことにより、運転停止時や、冷房運転による水平吹出時や、暖房運転による垂直吹出時などの運転状態に応じて、前記第二吹出パネル９に上下であって前後方向にスライド可能な状態に設けられている。
【００４６】
運転停止時には、図５（Ａ）で示すように、前記導風パネル７は、その上端が前記上面部１の前端（本体前部３の上端）よりも外側に突出し、且つ下端が前記本体前部３の下端よりも外側に突出する位置に停止して、空気調和機本体が見えないようにカバーできることになる。
【００４７】
その際、前記導風部材10は、実施例１および実施例２の場合と同様に、前記吹出口４の上下方向の中央部に対向させた状態になっており、これによって、水平吹出時に前記吹出口４の下端部に移動させる距離と、垂直吹出時に上端部に移動させる距離とを略同一にできるように工夫されている。
【００４８】
冷房運転による水平吹出時には、図５（Ｂ）の矢印で示すように、前記駆動装置12によって、前記導風部材10が下方にスライドして前記吹出口４の下端部に移動し、前記吹出口４からの吹出空気が、同吹出口４の上方に連続する導風路11に導かれて前記上部送出口11a （および前記側部送出口11c ）から送出されることになる。
【００４９】
これによって、図５（Ｂ）で示す矢印ａのように、前記天井面Ｂと前記上面部１との間に確保された隙間（通風路）により、前記吸込口２から効率よく吸い込まれた吸込空気を前記熱交換器５によって熱交換したのち、前記送風ファン６により、図５（Ｂ）で示す矢印ｂのように、前記上部送出口11a （および前記側部送出口11c ）から被空調室に冷気を吹き出せるようになり、同上部送出口11a が前記吸込口２の前方に突出していることから、所謂ショートサーキット現象を起こすことがない。
【００５０】
暖房運転による垂直吹出時には、図５（Ｃ）の矢印で示すように、前記駆動装置12によって、前記導風部材10が上方にスライドして前記吹出口４の上端部に移動し、前記吹出口４からの吹出空気が、同吹出口４の下方に連続する導風路11に導かれて前記下部送出口11b （および前記側部送出口11c ）から送出されることになる。
【００５１】
これによって、図５（Ｃ）で示す矢印ａのように、前記天井面Ｂと前記上面部１との間に確保された隙間（通風路）により、前記吸込口２から効率よく吸い込まれた吸込空気を前記熱交換器５によって熱交換したのち、前記送風ファン６により、図５（Ｃ）で示す矢印ｃのように、前記下部送出口11b （および前記側部送出口11c ）から被空調室に冷気を吹き出せるようになる。
【００５２】
その際、前記導風部材10は、実施例１および実施例２の場合と同様に断面三角形状に形成されたことにより、前記吹出口４からの吹出空気を、前記吹出口４の下方に連続する前記導風パネル７の導風路11に円滑に導くことができるようになり、前記下部送出口11b から送出されることにより暖気を足元に向けて効果的に届かせることができて被空調室内の快適な空気調和を行えるようになる。
【実施例４】
【００５３】
次に、図６（Ａ）乃至図６（Ｃ）に基づいて、実施例４として構成された前記導風パネル７について説明する。
前記導風パネル７が、前記本体前部３に設けられた前記第一吹出パネル８と、同第一吹出パネル８に平行に設けられた前記第二吹出パネル９と、同第二吹出パネル９に基端部が支軸部10a によって回動自在に軸支され、且つ先端部を前記吹出口４の上下略中央に対向させた導風部材10とで構成されている。
【００５４】
前記導風部材10は、前記支軸部10a を中心に回動することにより、前記吹出口４から吹き出される吹出空気を前記上部送出口11a に向けて導くようにしたり、または、前記下部送出口11b に向けて導くようにした構成になっている。
【００５５】
前記導風部材10を回動するための手段としては、前記駆動装置12を連係するようにしたり、または、前記支軸部10a に図示しない回動軸を通し、同回動軸の一端を前記導風パネル７の側部に突出させ、突出させた回動軸の一端に設けられた図示しないノブに手指を掛けて回動するようにしてもよい。
【００５６】
そして、運転停止時には、図６（Ａ）で示すように、前記導風部材10はその先端部を前記吹出口４の上下略中央に対向させた状態になっており、これによって、前記支軸部10a を中心に回動させる際、図６（Ｂ）で示すように下方に回動させる場合と、図６（Ｃ）で示すように上方に回動させる場合との回動角度を夫々均等にした状態で、前記吹出口４からの吹出空気を前記上部送出口11a または前記下部送出口11b に向けて導けるようになる。
【００５７】
また、冷房運転による水平吹出時には、図６（Ｂ）で示すように、前記導風部材10を下方に回動してその先端部を前記吹出口４の下端に当接させることにより、前記吹出口４からの吹出空気が、同吹出口４の上方に連続する導風路11に導かれて前記上部送出口11a （および前記側部送出口11c ）から送出されることになり、同上部送出口11a が前記吸込口２の前方に突出していることから、所謂ショートサーキット現象や冷気落ちを起こすことなく遠方まで届かせることができて、被空調室内の隅々にわたって快適な空気調和を行えるようになる。
【００５８】
その際、図６（Ｂ）で示す矢印ａのように、前記天井面Ｂと前記上面部１との間に確保された隙間（通風路）により、前記吸込口２から効率よく吸い込まれた吸込空気を前記熱交換器５によって熱交換したのち、前記送風ファン６により、図６（Ｂ）で示す矢印ｂのように、前記上部送出口11a （および前記側部送出口11c ）から被空調室に冷気を吹き出せるようになる。
【００５９】
また、暖房運転による垂直吹出時には、図６（Ｃ）で示すように、前記導風部材10を上方に回動してその先端部を前記吹出口４の上端に当接させることにより、前記吹出口４からの吹出空気が、同吹出口４の下方に連続する導風路11に導かれて前記下部送出口11b （および前記側部送出口11c ）から効率よく送出されることになる。
【００６０】
その際、図６（Ｃ）で示す矢印ａのように、前記天井面Ｂと前記上面部１との間に確保された隙間（通風路）により、前記吸込口２から効率よく吸い込まれた吸込空気を前記熱交換器５によって熱交換したのち、前記送風ファン６により、図６（Ｃ）で示す矢印ｃのように吹き出せるようになる。
【００６１】
以上説明したように、本発明による空気調和機であれば、本体を前記天井面Ｂに近接させた状態で壁掛け設置しても、前記上面部１を前端に行くにしたがって下方に傾斜させたことによって、同天井面Ｂとの間に前記吸込口２から室内空気を吸い込むための隙間（通風路）を確保できるようになり、また、前記導風パネル７の少なくとも一部を運転状況に応じてスライドさせたり、または、実施例４で説明したように前記導風部材10を回動することによって、前記吹出口４に連続する導風路11を、水平吹出もしくは垂直吹出として効果的に吹き分けることができるように構成できるので、風向調節範囲が無理なく拡大されて遠方への送風も充分に行えるようになる。
【００６２】
なお、前記導風部材10は、その先端部を前記吹出口４の上下略中央に対向させた状態で運転することで、前記熱交換器５によって熱交換された空気を、前記上部送出口11a と前記下部送出口11b （および前記側部送出口11c ）から被空調室に吹き出せるようになる。
【図面の簡単な説明】
【００６３】
【図１】本発明による空気調和機の基本構成の一例を示す説明図で、（Ａ）は正面図であり、（Ｂ）は側面図であり、（Ｃ）は側断面図であり、（Ｄ）は斜視図である。
【図２】本発明による空気調和機の基本構成の他の例を示す説明図で、（Ａ）は正面図であり、（Ｂ）は側面図であり、（Ｃ）は側断面図であり、（Ｄ）は斜視図である。
【図３】本発明による空気調和機の導風パネルの実施例１を示す側断面図であり、（Ａ）は運転停止時の状態を、（Ｂ）は水平吹出時の状態を、（Ｃ）は垂直吹出時の状態を夫々示す。
【図４】本発明による空気調和機の導風パネルの実施例２を示す側断面図であり、（Ａ）は運転停止時の状態を、（Ｂ）は水平吹出時の状態を、（Ｃ）は垂直吹出時の状態を夫々示す。
【図５】本発明による空気調和機の導風パネルの実施例３を示す側断面図であり、（Ａ）は運転停止時の状態を、（Ｂ）は水平吹出時の状態を、（Ｃ）は垂直吹出時の状態を夫々示す。
【図６】本発明による空気調和機の導風パネルの実施例４を示す側断面図であり、（Ａ）は運転停止時の状態を、（Ｂ）は水平吹出時の状態を、（Ｃ）は垂直吹出時の状態を夫々示す。
【図７】従来例による空気調和機の説明図で、（Ａ）は斜め下方から見た正面図であり、（Ｂ）は側面図である。
【図８】従来例による空気調和機の説明図で、（Ａ）は運転停止時の断面図であり、（Ｂ）は冷房運転による水平吹出時の断面図であり、（Ｃ）は暖房運転による垂直吹出時の断面図である。
【符号の説明】
【００６４】
Ａ  壁面
Ｂ  天井面
１  上面部
２  吸込口
３  前部
４  吹出口
５  熱交換器
６  送風ファン
７  導風パネル
８  第一吹出パネル
９  第二吹出パネル
10  導風部材
10a 支軸部
11  導風路
11a 上部送出口
11b 下部送出口
11c 側部送出口
【図１】
2005315537.tif 000003
【図２】
2005315537.tif 000004
【図３】
2005315537.tif 000005
【図４】
2005315537.tif 000006
【図５】
2005315537.tif 000007
【図６】
2005315537.tif 000008
【図７】
2005315537.tif 000009
【図８】
2005315537.tif 000010